(57)【特許請求の範囲】
【請求項１】
ビニルハウスの骨材にシートを止め付けるためのシート張設用型材であって、
横断面において開口部が幅狭に形成されたシート止着溝の一側縁部に、シート内面に付着した結露等の水滴を受けて溜める水滴溜部を備え、
前記シート止着溝の他側縁部には、シート内面を伝って流れてきた水滴を更にシートの内面に沿って伝い下らせる水滴誘導片部を備え、
前記水滴溜部は、前記シート止着溝の一側縁部から外方へ向かってシートの展張方向とほぼ同じ向きに延長させて形成したシート支持片と、該シート支持片から一定の段差で下がった段差面と、該段差面の下縁部からシートの展張方向とほぼ同じ向きに延長した結露溜り面板部とで構成されており、前記段差面には、シート内面の結露の誘導勾配が形成されていることを特徴とする、シート張設用型材。
【請求項２】
前記シート止着溝からシート支持片への変曲部には、前記シート止着溝とシートとの間に空気隙間を形成する突起が、前記シート止着溝の内方へ向かって設けられていることを特徴とする、請求項１に記載したシート張設用型材。
【請求項３】
前記水滴誘導片部は、シート止着溝の上端縁部から外方へ向かってシートの展張方向とほぼ同じ向きに延長されていることを特徴とする、請求項１又は２に記載したシート張設用型材。
【請求項４】
前記請求項１〜３のいずれか一に記載のシート張設用型材を用いて構成するビニルハウスのシート止め付け構造であって、
ビニルハウスの骨材の外周部であって流れ勾配が形成された部位に、流れ勾配と直交する方向へ、前記シート張設用型材が配置されると共に、その横断面における前記水滴溜部を上流側へ向けて配置し、同シート張設用型材の前記水滴誘導片部を下流側へ向けて、且つシートを水滴の伝い下りに適切な角度に支持する配置に取り付けて、前記シート止着溝へ波形状止め線を前記開口部上に拡げたシートと共に押し込むことでシートを止め付けて構成されることを特徴とする、ビニルハウスのシート止め付け構造。
【請求項５】
前記シートには、複数の通気孔が形成されていることを特徴とする、請求項４に記載したビニルハウスのシート止め付け構造。
【発明の詳細な説明】
【技術分野】
【０００１】
この発明は、所謂ビニルハウス等の被覆材である塩化ビニルシート又はポリオフィレンシート等（以下、単にシートという。）を、ビニルハウスの骨組材やドア枠、窓枠等へ固定するシート張設用型材及び同シート張設用型材を用いて構成するビニルハウスのシート止め付け構造の技術分野に属する。
【背景技術】
【０００２】
一般的な公知のビニルハウスは、一例を図５に示したように、外郭被覆材である透光性のシートを、例えば鋼製パイプＰ…で組み立てたハウス骨組みへ止着する手段としてのシート止着部材８…が、ビニルハウス５の屋根から側壁へと移行する肩の部位や、その下方の換気開口の下縁部、地面に近い裾部、或いは妻面などに縦向き或いは横向きの態様で多数配置され、骨組みである鋼製パイプＰへは各種の連結具７で取り付け固定されている。
【０００３】
上記した簡易構造の温室として公知のビニルハウスは、当然のことながら、内部が高温多湿空間となるので、外気温が下がる夜間などにはシート５０の内面に多量の結露が発生し、それが成長増大して、遂には至る所に滴下する。室内で働く作業員にとって、不意に結露水の滴下を受けると甚だ気持ちが悪いものである。また、結露水の滴下が集中する場所の作物は根腐れを起こして、病気の発生原因にもなり易い等の問題があり、結露対策が種々研究されてきた。
【０００４】
例えば、下記の特許文献１に開示されたビニルハウスの結露等処理構造は、本願の図７及び図８に示すように、シート止着部材８の一側のカール部を延長して略Ｌ字形状の結露受部８０を一体的に成形し、シート５０の内面に発生し成長して降下した結露水６を結露受部８０により受け止めて溜める構成である。当該シート止着部材８を長手方向に相互に接続する継手部材９に集水口９０とこれにつながる排水ホース９１を設け、前記結露受部８０で受け止めた結露水６を集めて、集水口９０から排水ホース９１を通じて地上の所定位置へ導き排除する。
【先行技術文献】
【特許文献】
【０００５】
【特許文献１】実公平２−１２８６３号公報
【発明の概要】
【発明が解決しようとする課題】
【０００６】
上記特許文献１に開示されたビニルハウスの結露等処理構造は、シート５０の内面に発生し成長して降下した結露水６を結露受部８０により受け止めて、集水口９０から排水ホース９１を通じて排除できるので、ビニルハウス５の結露対策として非常に有効な技術である。
しかし、本願の図７及び図８に示すように、結露水６が大量に発生すると、結露受部８０に溜めた結露水６が、集水口９０に到達する前に結露受部８０から溢れて零れ落ち、或いはシート５０とシート止着部材８との間隙に進入してシート止着部材８の下流側に回り込んで一側のカール部８１から滴下（ポタ落ち）してしまう。
また、例えば本願の図３及び図４に示したように、夏場にハウス内部が極めて高温になり、作業者を苦しめ、作物の生育を阻害することを解消する目的で、直径３ｍｍ程度の複数の通気孔５０ａ…を設けた多孔シート５０を使用したビニルハウス５においては、雨水が前記通気孔５０ａ…からシート５０の内面に漏れ込み、水滴として結露受部８０に溜まる。そのため、前記結露水６と共に結露受部８０に溜まった雨水の漏れ込み水滴が、上記同様、集水口９０に到達する前に結露受部８０から溢れて零れ落ち、或いはシート５０とシート止着部材８との間隙に進入してシート止着部材８の下流側に回り込んで一側のカール部８１から滴下してしまう。
【０００７】
そこで、本発明の目的は、ビニルハウスの被覆シートの内面に発生する結露或いは雨水の漏れ込み水滴をシート内面に沿って流下させ、ポタ落ち（滴下）による室内作業者の不快感を解消すると共に、室内作物の成長、阻害、病気発生の防止をすることができるシート張設用型材及び同シート張設用型材を用いて構成するビニルハウスのシート止め付け構造を提供する。
【課題を解決するための手段】
【０００８】
上記課題を解決する手段として、請求項１に記載した発明に係るシート張設用型材は、
ビニルハウス５の骨材Ｐにシート５０を止め付けるためのシート張設用型材であって、
横断面において開口部が幅狭に形成されたシート止着溝２の一側縁部に、シート５０の内面に付着した結露等の水滴６を受けて溜める水滴溜部３を備え、
前記シート止着溝２の他側縁部には、シート５０の内面を伝って流れてきた水滴６を更にシート５０の内面に沿って伝い下らせる水滴誘導片部４を備え、
前記水滴溜部３は、前記シート止着溝２の一側縁部から外方へ向かってシート５０の展張方向とほぼ同じ向きに延長させて形成したシート支持片３０と、該シート支持片３０から一定の段差で下がった段差面３１と、該段差面３１の下縁部からシート５０の展張方向とほぼ同じ向きに延長した結露溜り面板部３２とで構成されており、前記段差面３１には、シート内面の結露６の誘導勾配３１ａが形成されていることを特徴とする。
【００１０】
請求項２に記載した発明は、請求項１に記載したシート張設用型材において、
前記シート止着溝２からシート支持片３０への変曲部には、前記シート止着溝２とシート５０との間に空気隙間Ｓを形成する突起２２が、前記シート止着溝２の内方へ向かって設けられていることを特徴とする。
【００１１】
請求項３に記載した発明は、請求項１又は２に記載したシート張設用型材において、
前記水滴誘導片部４は、シート止着溝２の上端縁部から外方へ向ってシート５０の展張方向とほぼ同じ向きに延長されていることを特徴とする。
【００１２】
請求項４に記載したビニルハウスのシート止め付け構造は、
前記請求項１〜３のいずれか一に記載のシート張設用型材を用いて構成するビニルハウスのシート止め付け構造であって、
ビニルハウス５の骨材Ｐの外周部であって流れ勾配が形成された部位に、流れ勾配と直交する方向へ、前記シート張設用型材１が配置されると共に、その横断面における前記水滴溜部３を上流側へ向けて配置し、同シート張設用型材１の前記水滴誘導片部４を下流側へ向けて、且つシート５０を水滴６の伝い下りに適切な角度に支持する配置に取り付けて、前記シート止着溝２へ波形状止め線５１を前記開口部上に拡げたシート５０と共に押し込むことでシート５０を止め付けて構成されることを特徴とする。
【００１３】
請求項５に記載した発明は、請求項４に記載したビニルハウスのシート止め付け構造において、
前記シート５０には、複数の通気孔５０ａ…が形成されていることを特徴とする。
【発明の効果】
【００１４】
本発明に係るシート張設用型材及び同シート張設用型材を用いて構成するビニルハウスのシート止め付け構造によれば、シート張設用型材１の横断面における水滴溜部３を上流側へ向けて配置し、水滴誘導片部４を下流側へ向けて、且つシート５０を水滴６の伝い下りに適切な角度に支持する配置に取り付けて、シート止着溝２へ波形状止め線５１を開口部上に拡げたシート５０と共に押し込むことで同シート５０を止め付ける構成なので、シート５０の内面に発生した結露、或いは外部から漏れ込んできた雨水などの水滴６がシート５０の内面を伝い下るのを水滴溜部３に受け止めて溜めることができる。そして、前記水滴溜部３で受け止めて溜めた溜まり水６０は、シート５０の裏面とシート張設用型材１との間隙に発生する表面張力作用で下方側へ順次に流れ下らせ、下流側の水滴誘導片部４の終端に至らせることができる。前記水滴誘導片部４との間の表面張力が解消した部位で、水分は逐次重力が作用するに適度な大きさの水滴６に成長し、該水滴６の成長がシート５０への付着力の限界を超えて流れ下る大きさに達すると、水滴誘導片部４の角度と同方向に張設された被覆シート５０の下面に沿って水滴６は伝い下ることができる。
したがって、ビニルハウス５の被覆シート５０の内面に発生する結露或いは雨水の漏れ込み水滴６をシート５０の内面に沿って流下させるので、ポタ落ちによる室内作業者の不快感を解消すると共に、室内作物の成長、阻害、病気発生の防止をすることができる。
【図面の簡単な説明】
【００１５】
【図１】本発明に係るシート張設用型材を示した正面図である。
【図２】本発明に係るシート張設用型材を使用状態で示した側面図である。
【図３】ビニルハウスの流れ勾配が形成された肩部を拡大して示した斜視図である。
【図４】図４で指示したＡ部を拡大して示した平面図である。
【図５】ビニルハウスの一例を示した斜視図である。
【図６】（Ａ）、（Ｂ）は、本発明に係るシート張設用型材の異なる実施形態をそれぞれ示した正面図である。
【図７】従来のシート張設用型材を使用状態で示した側面図である。
【図８】ビニルハウスの結露水等の処理構造を拡大して示した斜視断面図である。
【発明を実施するための形態】
【００１６】
本発明に係るシート張設用型材１は、横断面において開口部が幅狭に形成されたシート止着溝２の一側縁部に、シート５０の内面に付着した結露等の水滴６を受け溜める水滴溜部３を備えている。前記シート止着溝２の他側縁部には、シート５０の内面を伝って流れてきた水滴６を更にシート５０の内面に沿って伝い下らせる水滴誘導片部４を備えている。
【００１７】
本発明に係るビニルハウスのシート止め付け構造は、ビニルハウス５の骨材Ｐの外周部であって流れ勾配が形成された部位に、シート張設用型材１の横断面における水滴溜部３を上流側へ向けて配置し、同シート張設用型材１の水滴誘導片部４を下流側へ向けて、且つシート５０を水滴６の伝い下りに適切な角度に支持する配置に取り付けて、シート止着溝２へ波形状止め線５１を開口部上に拡げたシート５０と共に押し込むことでシート５０を止め付ける構成である。
【実施例１】
【００１８】
以下、本発明に係るシート張設用型材及び同シート張設用型材を用いて構成するビニルハウスのシート止め付け構造を、図１〜図６に示した実施例に基づいて説明する。
図１及び２に示したシート張設用型材１は、金属製又は合成樹脂製であり、図５に示したビニルハウス５の被覆材であるシート５０を、ビニルハウス５の骨組材Ｐやドア枠、窓枠等へ固定する型材として用いる。
本発明に係るシート張設用型材１は、図１及び図２に示すように、横断面において開口部が幅狭に形成されたシート止着溝２の一側縁部に、シート５０の内面に付着した結露等の水滴６を受け止めて一旦溜める水滴溜部３を備え、前記シート止着溝２の他側縁部には、シート５０の内面を伝って流れてきた水滴６を更にシート５０の内面に沿って伝い下らせる水滴誘導片部４を備えている。
【００１９】
前記シート止着溝２は、横断面において、底面部２０の両側に立ち上がる両側壁２１、２１を略ハ字形状に内方へ傾斜させて開口部が幅狭となる蟻溝形状の溝として形成されている。但し、前記シート止着溝２は、図１及び図２に示した蟻溝形状に限るものではない。
前記ビニルハウス５のシート５０は、図２及び図３に示すように、鋼線を台形波が交互に逆向きとなる連続波形状に成形加工したバネ性の強い止め線５１と共に前記シート止着溝２の中へ押し込んで止着される。
【００２０】
前記水滴溜部３は、シート止着溝２の一側縁部から外方（上流側）へ向かってシート５０の展張方向とほぼ同じ向きに例えば１５ｍｍ程度延長させて形成したシート支持片３０と、該シート支持片３０から一定の段差で下がった段差面３１と、該段差面３１の下縁部からシート５０の展張方向とほぼ同じ向きに延長した結露溜り面板部３２とで構成されている。
【００２１】
前記段差面３１は、その中間部分から前記シート支持片３０への屈曲部が滑らかに湾曲しており、溜まり水６０の誘導が順調な誘導勾配３１ａに形成されている。つまり、前記水滴溜部３の段差面３１へ辿り着いた水滴６は速やかに水滴溜部３へ誘導され、その溜まり水６０が、図２のようにシート内面へ接する高さになると、同溜まり水６０は表面張力の作用でシート止着溝２へ向かってスムーズに誘導される構成とし、排水の処理能力を高めている。
前記結露溜り面板部３２は、その先端部３２ａに肉盛りを形成し、受け止めた水滴６の溜まり水６０が溢れて水滴溜部３から外方へ零れ落ちる不具合を防止している。
【００２２】
前記シート止着溝２からシート支持片３０への変曲部には、前記シート止着溝２の側壁２１とシート５０との間に空気隙間Ｓを形成する突起２２が、前記シート止着溝２の内方（下流側）へ向かって設けられている。それ故に、前記シート５０とシート支持片３０との間から進入した水滴６は、前記空気隙間Ｓから重力作用によってシート止着溝２の側壁２１から底部２０へと効果的に流れ落ちることができ、シート５０の裏面とシート張設用型材１との間隙に発生する表面張力の作用で下方側へ順次に流れ下らせることができる。
なお、前記突起２２の大きさは、図示した大きさに限定されず、必要に応じて適宜変更して実施するものとする。
【００２３】
図１及び図２に示した前記水滴誘導片部４は、シート止着溝２の上端縁部から外方へ向かって例えば１５ｍｍ程度、シート５０の展張方向とほぼ同じ向きに延長させると共に、少し上方へ向かって傾斜させた形状で形成されており、同水滴誘導片部４から離れた水滴６が表面張力でシート５０に伝い落ちる程度の傾斜角度で前記シート５０を支持している。
但し、図６（Ａ）に示した水滴誘導片部４のように、例えば５ｍｍ程度の短い寸法で若干上向き角度に形成するほか、必要に応じて適宜長さに調整して実施することができる。また、図６（Ｂ）に示した水滴誘導片部４のように、水平向きとする等、必要に応じて適宜角度を調整して実施するものとする。
【００２４】
次に、上記シート張設用型材を用いて構成するビニルハウスのシート止め付け構造について説明する。
本発明に係るビニルハウスのシート止め付け構造は、図３に示したように、上記シート張設用型材１を、ビニルハウス５の屋根の流れ勾配（一例として３５度以上の勾配）の傾斜面等において母屋材方向に配置し、前記ビニルハウス５の骨材Ｐの外周部であって流れ勾配が形成された部位に、前記シート張設用型材１の横断面における前記水滴溜部３を上流側へ向けて配置し、同シート張設用型材１の水滴誘導片部４を下流側へ向けて、且つシート５０を水滴の伝い下りに適切な角度（例えば３５度程度）に支持する配置に取り付ける。
【００２５】
前記シート張設用型材１をビニルハウス５の骨材Ｐへ取り付ける手段として、図２に示した公知の楔式連結具７を用いる。
図２に示した楔式連結具７は、既に知られているとおり、連結具本体７Ａと楔７Ｂとで構成されている。前記連結具本体７Ａは、ビニルハウス５の骨材Ｐを跨ぐコ字形状とされ、切り欠き７０により形成された両先端部７０ａ、７０ａが、前記シート止着溝２の横断面形状における両側壁２１、２１の外面を挟み持つ構成とされている。同連結具本体７Ａが前記骨材Ｐを跨いで、前記シート止着溝２の両側壁２１、２１を挟み持った姿勢で、前記骨材Ｐよりも背後側となる位置に、前記骨材Ｐと直交する方向に楔７Ｂを貫通させる楔孔７１が設けられている。
つまり、前記連結具本体７Ａの楔孔７１へ楔７Ｂを差し通すと、楔７Ｂによる迫り作用で、シート張設用型材１のシート止着溝２が前記骨材Ｐへ引き付けられて強固に連結、固定の目的が達成される。逆に、前記楔７Ｂを楔孔７１から引き抜くことにより、前記連結は簡単に解除できる構成である。
【００２６】
なお、ビニルハウス５の長手方向に一連に設置した複数のシート張設用型材１は、図８に示したように、その端部同士を継手部材９で相互に接続される。前記継手部材９には、集水口９０とこれに繋がるホース９１が設けられており、前記シート張設用型材１の水滴溜部３で受け止めた結露水６を集めて地上の所定位置へ導き排除する。
【００２７】
上述したビニルハウスのシート止め付け構造は、図２に示すように、シート５０の内面に発生した結露、或いは外部から漏れ込んできた雨水などの水滴６がシート５０の内面を伝い下るのをシート張設用型材１の水滴溜部３に受け止めて一旦溜める。前記水滴６による溜まり水６０は、シート５０の裏面とシート張設用型材１との間隙に発生する表面張力作用で下方側へ順次に流れ下らせ、下流側の水滴誘導片部４の終端に至らせる。このとき、前記水滴溜部３の段差面３１に形成した誘導勾配３１ａで、水滴６０をシート止着溝２へ向かってスムーズに誘導させることができる。また、前記シート止着溝２からシート支持片３０への変曲部に設けた突起２２で、前記シート５０とシート止着溝２との間に空気隙間Ｓを形成するので、前記水滴溜部３からビニルシート５０とシート支持片２２との間に進入した水滴６は、重力作用により前記シート止着溝２の底部２０へ向かって効果的に流れ落ちる。
そして、前記水滴誘導片部４との間の表面張力が解消した部位で、水分は逐次重力が作用するに適度な大きさの水滴６１…に成長する。前記水滴６１…の成長がシート５０への付着力の限界を超えて流れ下る大きさに達すると、前記水滴誘導片部４の角度と同方向に張設された被覆シート５０の下面に沿って前記水滴６１は伝い下ることになる。
【００２８】
なお、例えば図３及び図４に示したように、直径３ｍｍ程度の複数の通気孔５０ａ…を設けた多孔シート５０を使用したビニルハウス５においては、雨水が前記通気孔５０ａからシート５０の内面に漏れ込み水滴６として水滴溜部３に溜まる問題がある。しかし、本発明に係るビニルハウスのシート止め付け構造では、上記構成であるから、前記通気孔５０ａ…からシート５０の内面に漏れ込んだ水滴６をシート５０の下面に沿って効果的に伝い下らせることができる。
【００２９】
したがって、ビニルハウス５の被覆シート５０の内面に発生する結露或いは雨水の漏れ込み水滴６をシート５０の内面に沿って流下させるので、ポタ落ちによる室内作業者の不快感を解消すると共に、室内作物の成長、阻害、病気発生の防止をすることができる。
【００３０】
以上に本発明を図示した実施例に基づいて説明したが、本発明は、上述した実施の形態に限定されるものではない。当業者が必要に応じて通常行う設計変更や、変形応用等の範囲内で様々に実施することが可能であることを申し添える。
【符号の説明】
【００３１】
１        シート張設用型材
２        シート止着溝
２２      突起
３        水滴溜部
３０      シート支持片
３１      段差面
３２      結露溜り面板部
４        水滴誘導片部
５        ビニルハウス
５０      シート
５０ａ    通気孔
５１      止め線
６、６１  水滴
Ｓ        空気隙間
【図１】
0006381072.tif 000002
【図２】
0006381072.tif 000003
【図３】
0006381072.tif 000004
【図４】
0006381072.tif 000005
【図５】
0006381072.tif 000006
【図６】
0006381072.tif 000007
【図７】
0006381072.tif 000008
【図８】
0006381072.tif 000009